(57)【要約】【課題】コントラストＡＦにおいて多点ＡＦを精度良く行える撮像装置を提供する。【解決手段】撮像装置では、本撮影前に例えば１/６０秒の表示フレーム周期で撮像素子を順次に露光する露光制御を行い当該露光により撮像素子で生成される画像信号に基づく画像表示(ライブビュー表示)を行えるとともに、フォーカスレンズを駆動させつつ撮像素子で順次に生成される画像信号に基づきコントラスト検出方式の焦点検出(コントラストＡＦ)を行える。そして、撮像素子の撮像面に規定される複数のＡＦエリアでコントラストＡＦを行う際には、上記の表示フレーム周期の間に露光時間が異なる３回の露光Ｐａ〜Ｐｃを撮像素子で順次に行い、これら３回の露光それぞれにより撮像素子で生成される各画像信号に基づき複数のＡＦエリアでの多点ＡＦを行うようにする。これにより、コントラストＡＦにおいて多点ＡＦを精度良く行えることとなる。【選択図】図７
2009139840.tif 000002
【特許請求の範囲】
【請求項１】
撮像装置であって、
(a)被写体に係る画像信号を生成する撮像手段と、
(b)前記撮像手段で生成される画像信号に基づく画像表示が可能な表示手段と、
(c)本撮影前に所定の周期で前記撮像手段を順次に露光する露光制御を行い、当該露光により前記撮像手段で生成される画像信号に基づく画像表示を前記表示手段に行わせる表示制御手段と、
(d)フォーカスレンズを駆動する駆動手段と、
(e)前記駆動手段によって前記フォーカスレンズを駆動させつつ前記撮像手段で順次に生成される画像信号に基づき、コントラスト検出方式の焦点検出を行う焦点検出手段と、
を備え、
前記撮像手段の撮像面には、前記焦点検出を行うための複数の領域が規定されており、
前記焦点検出手段は、前記所定の周期の間に露出値が異なる複数回の露光を前記撮像手段で順次に行い、前記複数回の露光それぞれにより前記撮像手段で生成される各画像信号に基づき前記複数の領域にて前記焦点検出を行うことを特徴とする撮像装置。
【請求項２】
請求項１に記載の撮像装置において、
(f)前記撮像手段で生成された画像信号を増幅率可変に増幅する増幅手段、
をさらに備え、
前記複数回の露光では、前記増幅手段の増幅率および／または露光時間を変更することにより前記露出値を変化させることを特徴とする撮像装置。
【請求項３】
請求項１に記載の撮像装置において、
前記複数回の露光は、前記露光制御による露光を含んでいることを特徴とする撮像装置。
【発明の詳細な説明】
【技術分野】
【０００１】
本発明は、被写体に係る画像信号を生成する撮像手段を備えた撮像装置に関する。
【背景技術】
【０００２】
一眼レフカメラ等においては、複数の焦点検出領域それぞれで位相差検出方式の焦点検出が可能な位相差ＡＦモジュールを設けて多点ＡＦを実施するものが知られている。この多点ＡＦでは、例えば特許文献１に開示されるように各焦点検出領域ごとに適正な露光時間に調整して高精度なＡＦを実現できるようになっている。
【０００３】
一方、本撮影前に被写体を動画的態様で表示(ライブビュー表示)するために撮像素子で順次に取得されるライブビュー画像に基づきコントラスト検出方式の焦点検出（以下では「コントラストＡＦ」ともいう）を行うデジタルカメラ(撮像装置)が知られている。
【０００４】
【特許文献１】特開平１１−２７５４号公報
【発明の開示】
【発明が解決しようとする課題】
【０００５】
しかしながら、上記のコントラストＡＦにおいて複数の焦点検出領域を撮像面に設定して多点ＡＦを実施しようとする場合、撮像素子の一般的な露光制御では撮像面全域に均一な露光時間が設定されてしまうため、上述した位相差ＡＦモジュールのように１回の露光で各焦点検出領域ごとに適正な露光時間に調整して位相差ＡＦを行うことが不可能である。これでは、逆光シーンのように輝度差の大きい撮影シーンにおいて不適切な露光状態の焦点検出領域が生じてしまうため、精度の良い多点ＡＦが困難である。
【０００６】
本発明は、上記課題に鑑みてなされたものであり、コントラストＡＦにおいて多点ＡＦを精度良く行える撮像装置を提供することを目的とする。
【課題を解決するための手段】
【０００７】
本発明の１つの側面は、撮像装置であって、(a)被写体に係る画像信号を生成する撮像手段と、(b)前記撮像手段で生成される画像信号に基づく画像表示が可能な表示手段と、(c)本撮影前に所定の周期で前記撮像手段を順次に露光する露光制御を行い、当該露光により前記撮像手段で生成される画像信号に基づく画像表示を前記表示手段に行わせる表示制御手段と、(d)フォーカスレンズを駆動する駆動手段と、(e)前記駆動手段によって前記フォーカスレンズを駆動させつつ前記撮像手段で順次に生成される画像信号に基づき、コントラスト検出方式の焦点検出を行う焦点検出手段とを備え、前記撮像手段の撮像面には、前記焦点検出を行うための複数の領域が規定されており、前記焦点検出手段は、前記所定の周期の間に露出値が異なる複数回の露光を前記撮像手段で順次に行い、前記複数回の露光それぞれにより前記撮像手段で生成される各画像信号に基づき前記複数の領域にて前記焦点検出を行うことを特徴とする。
【発明の効果】
【０００８】
本発明によれば、本撮影前に被写体に係る画像表示を行うための露光周期の間に露出値が異なる複数回の露光を撮像手段で順次に行い、これら複数回の露光それぞれにより撮像手段で生成される各画像信号に基づき撮像手段の撮像面に規定される複数の領域にてコントラスト検出方式の焦点検出を行う。その結果、コントラストＡＦにおいて多点ＡＦを精度良く行える。
【発明を実施するための最良の形態】
【０００９】
＜撮像装置の外観構成＞
図１および図２は、本発明の実施形態に係る撮像装置１の外観構成を示す図である。ここで、図１および図２は、それぞれ正面図および背面図を示している。
【００１０】
撮像装置１は、例えば一眼レフレックスタイプのデジタルスチルカメラとして構成されており、カメラボディ１０と、カメラボディ１０に着脱自在な撮影レンズとしての交換レンズ２とを備えている。
【００１１】
図１において、カメラボディ１０の正面側には、正面略中央に交換レンズ２が装着されるマウント部３０１と、マウント部３０１の右横に配置されたレンズ交換ボタン３０２と把持可能とするためのグリップ部３０３と、正面左上部に配置されたモード設定ダイアル３０５と、正面右上部に配置された制御値設定ダイアル３０６と、グリップ部３０３の上面に配置されたシャッターボタン３０７とが設けられている。
【００１２】
また、図２において、カメラボディ１０の背面側には、ＬＣＤ（Liquid Crystal Display）３１１と、ＬＣＤ３１１の左方に配置された設定ボタン群３１２と、ＬＣＤ３１１の右方に配置された十字キー３１４と、十字キー３１４の中央に配置されたプッシュボタン３１５とが備えられている。また、カメラボディ１０の背面側には、ＬＣＤ３１１の上方に配設された光学ファインダ３１６と、光学ファインダ３１６の周囲を囲むアイカップ３２１と、光学ファインダ３１６の左方に配設されたメインスイッチ３１７と、光学ファインダ３１６の右方に配設された露出補正ボタン３２３およびＡＥロックボタン３２４と、光学ファインダ３１６の上方に配設されたフラッシュ部３１８および接続端子部３１９とが備えられている。
【００１３】
マウント部３０１には、装着された交換レンズ２との電気的接続を行うためコネクタＥｃ(図５参照)や、機械的接続を行うためのカプラ７５(図５参照)が設けられている。
【００１４】
レンズ交換ボタン３０２は、マウント部３０１に装着された交換レンズ２を取り外す際に押下されるボタンである。
【００１５】
グリップ部３０３は、ユーザが撮影時に撮像装置１を把持する部分であり、フィッティング性を高めるために指形状に合わせた表面凹凸が設けられている。なお、グリップ部３０３の内部には電池収納室およびカード収納室(不図示)が設けられている。電池収納室にはカメラの電源として電池６９Ｂ(図５参照)が収納されており、カード収納室には撮影画像の画像データを記録するためのメモリカード６７(図５参照)が着脱可能に収納されるようになっている。なお、グリップ部３０３には、当該グリップ部３０３をユーザが把持したか否かを検出するためのグリップセンサを設けるようにしても良い。
【００１６】
モード設定ダイアル３０５及び制御値設定ダイアル３０６は、カメラボディ１０の上面と略平行な面内で回転可能な略円盤状の部材からなる。モード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、撮像装置１に搭載されたモードや機能を択一的に選択するためのものである。一方、制御値設定ダイアル３０６は、撮像装置１に搭載された各種の機能に対する制御値を設定するためのものである。
【００１７】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押しされると、被写体の静止画を撮影するための準備動作（露出制御値の設定や焦点検出等の準備動作）が実行され、シャッターボタン３０７が全押しされると、撮影動作（撮像素子１０１(図３参照)を露光し、その露光によって得られた画像信号に所定の画像処理を施してメモリカード等に記録する一連の動作）が実行される。
【００１８】
ＬＣＤ３１１は、画像表示が可能なカラー液晶パネルを備えており、撮像素子１０１(図３参照)により撮像された画像の表示や記録済みの画像の再生表示等を行うとともに、撮像装置１に搭載される機能やモードの設定画面を表示するものである。なお、ＬＣＤ３１１に代えて、有機ＥＬやプラズマ表示装置を用いるようにしても良い。
【００１９】
設定ボタン群３１２は、撮像装置１に搭載された各種の機能に対する操作を行うボタンである。この設定ボタン群３１２には、例えばＬＣＤ３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２０】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズ２１２(図５参照)のワイド方向やテレ方向への移動）、ＬＣＤ３１１等に再生する記録画像のコマ送り、及び撮影条件（絞り値、シャッタスピード、フラッシュ発光の有無等）の設定等の指示を入力するためのものである。
【００２１】
光学ファインダ３１６は、被写体が撮影される範囲を光学的に表示するものである。すなわち、光学ファインダ３１６には、交換レンズ２からの被写体像が導かれており、ユーザは、この光学ファインダ３１６を覗くことにより、実際に撮像素子１０１にて撮影される被写体を視認することができる。
【００２２】
メインスイッチ３１７は、左右にスライドする２接点のスライドスイッチからなり、左にセットすると撮像装置１の電源がオンされ、右にセットすると電源がオフされる。
【００２３】
フラッシュ部３１８は、ポップアップ式の内蔵フラッシュとして構成されている。一方、外部フラッシュ等をカメラボディ１０に取り付ける場合には、接続端子部３１９を使用して接続する。
【００２４】
アイカップ３２１は、遮光性を有して光学ファインダ３１６への外光の侵入を抑制する「コ」字状の遮光部材である。
【００２５】
露出補正ボタン３２３は、露出値（絞り値やシャッタースピード）を手動で調整するためのボタンであり、ＡＥロックボタン３２４は、露出を固定するためのボタンである。
【００２６】
交換レンズ２は、被写体からの光（光像）を取り込むレンズ窓として機能するとともに、当該被写体光をカメラボディ１０の内部に配置されている撮像素子１０１に導くための撮影光学系として機能するものである。この交換レンズ２は、上述のレンズ交換ボタン３０２を押下操作することで、カメラボディ１０から取り外すことが可能となっている。
【００２７】
交換レンズ２は、光軸ＬＴに沿って直列的に配置された複数のレンズからなるレンズ群２１を備えている(図５参照)。このレンズ群２１には、焦点の調節を行うためのフォーカスレンズ２１１(図５参照)と、変倍を行うためのズームレンズ２１２(図５参照)とが含まれており、それぞれ光軸ＬＴ(図３参照)方向に駆動されることで、変倍や焦点調節が行われる。また、交換レンズ２には、その鏡胴の外周適所に該鏡胴の外周面に沿って回転可能な操作環が備えられており、上記のズームレンズ２１２は、マニュアル操作或いはオート操作により、上記操作環の回転方向及び回転量に応じて光軸方向に移動し、その移動先の位置に応じたズーム倍率(撮影倍率)に設定されるようになっている。
【００２８】
＜撮像装置１の内部構成＞
次に、撮像装置１の内部構成について説明する。図３は、撮像装置１の縦断面図である。図３に示すように、カメラボディ１０の内部には、撮像素子１０１、ファインダ部１０２（ファインダ光学系）、ミラー部１０３、位相差ＡＦモジュール１０７などが備えられている。
【００２９】
撮像素子１０１は、カメラボディ１０に交換レンズ２が装着された場合の当該交換レンズ２が備えているレンズ群の光軸ＬＴ上において、光軸ＬＴに対して垂直となる方向に配置されている。撮像素子１０１としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（ＣＭＯＳ型の撮像素子）が用いられる。撮像素子１０１は、交換レンズ２を通って結像された被写体の光像をＲ（赤）、Ｇ（緑）、Ｂ（青）各色成分のアナログの電気信号（画像信号）に変換し、Ｒ、Ｇ、Ｂ各色の画像信号として出力する。
【００３０】
上記の光軸ＬＴ上において、被写体光をファインダ部１０２へ向けて反射される位置には、ミラー部１０３が配置されている。交換レンズ２を通過した被写体光は、ミラー部１０３（後述の主ミラー１０３１）によって上方へ反射される。交換レンズ２を通過した被写体光の一部はこのミラー部１０３を透過する。
【００３１】
ファインダ部１０２は、ペンタプリズム１０５、接眼レンズ１０６及び光学ファインダ３１６を備えている。ペンタプリズム１０５は、断面５角形を呈し、その下面から入射された被写体光像を内部での反射によって当該光像の天地左右を入れ替えて正立像にするためのプリズムである。接眼レンズ１０６は、ペンタプリズム１０５により正立像にされた被写体像を光学ファインダ３１６の外側に導く。このような構成により、ファインダ部１０２は、本撮影前の撮影待機時において被写界を確認するためのファインダとして機能する。
【００３２】
ミラー部１０３は、主ミラー１０３１及びサブミラー１０３２から構成されており、主ミラー１０３１の背面側において、サブミラー１０３２が主ミラー１０３１の背面に向けて倒れるように回動可能に設けられている。主ミラー１０３１を透過した被写体光の一部はサブミラー１０３２によって反射され、この反射された被写体光は位相差ＡＦモジュール１０７に入射される。
【００３３】
上記のミラー部１０３は、所謂クイックリターンミラーとして構成されており、露光時(本撮影時)には図４に示すように回転軸１０３３を回動支点として上方に向けて跳ね上がる。この際、サブミラー１０３２は、上記のミラー部１０３がペンタプリズム１０５の下方位置で停止したときには、主ミラー１０３１と略平行となるように折り畳まれた状態となる。これにより、交換レンズ２からの被写体光がミラー部１０３によって遮られることなく撮像素子１０１上に届き、該撮影素子１０１が露光される。撮像素子１０１での撮像動作が終了すると、ミラー部１０３は元の位置（図３に示す位置）に復帰する。
【００３４】
また、ミラー部１０３を本撮影(画像記録用の撮影)の前に図４に示すミラーアップの状態にすることにより撮像装置１は、撮像素子１０１で順次に生成される画像信号に基づき動画的態様で被写体をＬＣＤ３１１に表示するライブビュー(プレビュー)表示が可能となっている。すなわち、本撮影前の撮像装置１では、上記のライブビュー表示が行われる電子ファインダ(ライブビューモード)、または光学ファインダを選択して被写体の構図決めが可能である。なお、電子ファインダと光学ファインダとの切替えは、図２に示す切替スイッチ８５を操作することにより行われる。
【００３５】
位相差ＡＦモジュール１０７は、被写体のピント情報を検出する測距素子等からなる所謂ＡＦセンサとして構成されている。この位相差ＡＦモジュール１０７は、ミラー部１０３の底部に配設されており、位相差検出方式の焦点検出(以下では「位相差ＡＦ」ともいう)により合焦位置を検出する。すなわち、撮影待機時においてユーザが光学ファインダ３１６で被写体を確認する場合には、図３に示すように主ミラー１０３１およびサブミラー１０３２がダウンされた状態で位相差ＡＦモジュール１０７に被写体からの光が導かれるとともに、位相差ＡＦモジュール１０７からの出力に基づき交換レンズ２内のフォーカスレンズ２１１が駆動されてピント合わせが行われる。なお、位相差ＡＦモジュール１０７では、高精度な位相差ＡＦを実現するため、いわゆる多点ＡＦ(多点測距)が可能である。
【００３６】
撮像素子１０１の光軸方向前方には、シャッタユニット４０が配置されている。このシャッタユニット４０は、上下方向に移動する幕体を備え、その開動作および閉動作により光軸ＬＴに沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００３７】
＜撮像装置１の電気的構成＞
図５は、撮像装置１の電気的な構成を示すブロック図である。ここで、図１〜図４と同一の部材等については、同一の符号を付している。なお、説明の便宜上、交換レンズ２の電気的構成について先ず説明する。
【００３８】
交換レンズ２は、上述したレンズ群２１に加え、レンズ駆動機構２４と、レンズ位置検出部２５と、レンズ制御部２６と、絞り駆動機構２７とを備えている。
【００３９】
レンズ群２１では、フォーカスレンズ２１１及びズームレンズ２１２と、カメラボディ１０に備えられた撮像素子１０１へ入射される光量を調節するための絞り２３とが、鏡胴２２内において光軸ＬＴ(図３)方向に保持されており、被写体の光像を取り込んで撮像素子１０１に結像させる。ＡＦ制御では、フォーカスレンズ２１１が交換レンズ２内のＡＦアクチュエータ７１Ｍにより光軸ＬＴ方向に駆動されることで焦点調節が行われる。
【００４０】
フォーカス駆動制御部７１Ａは、レンズ制御部２６を介してメイン制御部６２から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、レンズ駆動機構２４にレンズ駆動力を与える。
【００４１】
レンズ駆動機構２４は、例えばヘリコイド及び該ヘリコイドを回転させる図示省略のギア等で構成され、ＡＦアクチュエータ７１Ｍからの駆動力を受けて、フォーカスレンズ２１１等を光軸ＬＴと平行な方向に駆動させるものである。なお、フォーカスレンズ２１１の移動方向及び移動量は、それぞれＡＦアクチュエータ７１Ｍの回転方向及び回転数に従う。
【００４２】
レンズ位置検出部２５は、レンズ群２１の移動範囲内において光軸ＬＴ方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２４で検出されたレンズ位置は、例えばパルス数として出力される。
【００４３】
レンズ制御部２６は、例えば制御プログラムを記憶するＲＯＭや状態情報に関するデータを記憶するフラッシュメモリ等のメモリが内蔵されたマイクロコンピュータからなっている。
【００４４】
また、レンズ制御部２６は、コネクタＥｃを介してカメラボディ１０のメイン制御部６２との間で通信を行う通信機能を有している。これにより、例えばレンズ群２１の焦点距離、射出瞳位置、絞り値、合焦距離及び周辺光量状態等の状態情報データや、レンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００４５】
絞り駆動機構２７は、カプラ７５を介して絞り駆動アクチュエータ７６Ｍからの駆動力を受けて、絞り２３の絞り径を変更するものである。
【００４６】
続いて、カメラボディ１０の電気的構成について説明する。カメラボディ１０は、先に説明した撮像素子１０１、シャッタユニット４０等の他に、ＡＦＥ（アナログフロントエンド）５、画像処理部６１、画像メモリ６１４、メイン制御部６２、フラッシュ回路６３、操作部６４、ＶＲＡＭ６５、カードＩ／Ｆ６６、メモリカード６７、通信用Ｉ／Ｆ６８、電源回路６９、電池６９Ｂ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７６Ａ及び絞り駆動アクチュエータ７６Ｍを備えて構成されている。
【００４７】
撮像素子１０１は、先に説明した通りＣＭＯＳカラーエリアセンサからなり、後述のタイミング制御回路５１により、当該撮像素子１０１の露光動作の開始（及び終了）や、撮像素子１０１が備える各画素の出力選択、画素信号の読出し等の撮像動作が制御される。
【００４８】
ＡＦＥ５は、撮像素子１０１に対して所定の動作を行わせるタイミングパルスを与えると共に、撮像素子１０１から出力される画像信号に所定の信号処理を施し、デジタル信号に変換して画像処理部６１に出力するものである。このＡＦＥ５は、タイミング制御回路５１、信号処理部５２及びＡ／Ｄ変換部５３などを備えて構成されている。
【００４９】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００５０】
信号処理部５２は、撮像素子１０１から出力されるアナログの画像信号に所定のアナログ信号処理を施すもので、ＣＤＳ（相関二重サンプリング）回路、ＡＧＣ（オートゲインコントロール）回路及びクランプ回路等が設けられている。このＡＧＣ回路では、撮像素子１０１で生成された画像信号を増幅率(ゲイン)可変に増幅することができ、このゲインを変化させることで銀塩フィルムに対応したＩＳＯ感度の変更が可能である。また、Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００５１】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００５２】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００５３】
ホワイトバランス補正回路６１２は、光源に応じた白の基準に基づいて、Ｒ(赤)、Ｇ(緑)、Ｂ(青)の各色成分のデジタル信号のレベル変換（ホワイトバランス(ＷＢ)調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれの色成分の平均と、Ｇ／Ｒ比及びＧ／Ｂ比とを求め、これをＲ、Ｂの補正ゲインとしてレベル補正する。
【００５４】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換するとともにオフセット調整を行う。
【００５５】
画像メモリ６１４は、撮影モード時には、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００５６】
メイン制御部６２は、制御プログラム等を記憶するＲＯＭや一時的にデータを記憶するＲＡＭ等の記憶部が内蔵されたマイクロコンピュータからなり、撮像装置１各部の動作を制御するものである。また、メイン制御部６２は、例えば上記の制御プログラムが実行されることで機能的に実現されるライブビュー制御部６２１および焦点検出部６２２を有している。
【００５７】
ライブビュー制御部６２１は、本撮影前に例えば１/６０秒の周期で撮像素子１０１を順次に露光する露光制御(以下では「ライブビュー表示用の露光制御」ともいう)を行い、当該露光により撮像素子１０１で周期的に生成される画像信号に基づく画像表示(ライブビュー表示)をＬＣＤ３１１に行わせる部位である。
【００５８】
また、焦点検出部６２２は、ライブビューモードにおいてＡＦアクチュエータ７１Ｍによりフォーカスレンズ２１１を駆動させつつ撮像素子１０１で順次に生成される被写体の画像信号に基づき、後述のコントラストＡＦ演算回路７７を用いてコントラスト検出方式の焦点検出(コントラストＡＦ)を行う部位である。
【００５９】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００６０】
操作部６４は、上述のモード設定ダイアル３０５、制御値設定ダイアル３０６、シャッターボタン３０７、設定ボタン群３１２、十字キー３１４、プッシュボタン３１５、メインスイッチ３１７等を含み、操作情報をメイン制御部６２に入力するためのものである。
【００６１】
ＶＲＡＭ６５は、ＬＣＤ３１１の画素数に対応した画像信号の記憶容量を有し、メイン制御部６２とＬＣＤ３１１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェースである。
【００６２】
電源回路６９は、例えば定電圧回路等からなり、メイン制御部６２等の制御部、撮像素子１０１、その他の各種駆動部等、撮像装置１全体を駆動させるための電圧を生成する。なお、撮像素子１０１への通電制御は、メイン制御部６２から電源回路６９に与えられる制御信号により行われる。電池６９Ｂは、アルカリ乾電池等の一次電池や、ニッケル水素充電池等の二次電池からなり、撮像装置１全体に電力を供給する電源である。
【００６３】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００６４】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動(開閉動作)を行うアクチュエータである。
【００６５】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００６６】
また、カメラボディ１０は、黒レベル補正回路６１１から出力される黒レベル補正済みの画像データに基づき、コントラストＡＦに必要なＡＦ評価値の演算を行うコントラストＡＦ演算回路７７を備えている。このＡＦ評価値は、撮像素子１０１の撮像面に設定される後述のＡＦエリアＥｆ(図６参照)内における画素群(例えばＧ画素の画素群)の画素信号を読み出し、ＡＦエリア内の画素群における隣接画素同士の差分の絶対値の総和として算出される。
【００６７】
コントラストＡＦ演算回路７７で算出されたＡＦ評価値とレンズ位置検出部２５で検出されたフォーカスレンズ２１１の位置情報とに基づき、ＡＦ制御の際には、メイン制御部６２の焦点検出部６２２においてコントラストＡＦによるフォーカスレンズ２１１の合焦位置の検出処理が実行される。
【００６８】
以上のようなコントラストＡＦ演算回路７７および焦点検出部６２２を利用した撮像装置１のコントラストＡＦ動作について次で説明する。
【００６９】
＜撮像装置１のコントラストＡＦ動作について＞
図６は、撮像装置１においてコントラストＡＦが可能な複数のＡＦエリアＥｆを説明するための図である。
【００７０】
撮像素子１０１の撮像面１０１ｆには、マトリクス状に配置された複数のＡＦエリア（領域）Ｅｆが規定されている。そして、各ＡＦエリアＥｆでは、独立してコントラストＡＦを行える、つまり多点ＡＦが可能となっている。
【００７１】
このような複数のＡＦエリアＥｆにおいてライブビューモード時に多点ＡＦを行う場合には、撮像素子１０１のダイナミックレンジが約８ＥＶと比較的狭いことから、逆光シーンのように輝度差が大きい被写体（例えば２０ＥＶ程度の輝度差がある被写体）に対しては１回の露光により全てのＡＦエリアＥｆで適正な露光状態とするのは困難である。
【００７２】
そこで、撮像装置１では、ライブビュー表示のための表示フレーム期間（例えば１/６０秒)の間に、連続したフレームで露光時間の異なる３パターンの露光を行うことにより、様々な輝度の被写体に対し各ＡＦエリアＥｆで適切な露光データ（コントラスト検出用のデータ）を確実に取得できるようになっている。
【００７３】
図７は、露光時間の異なる３パターンの露光Ｐａ〜Ｐｃを説明するためのタイムチャートである。図７のようにライブビューモード設定時には、６０ｆｐｓの表示フレームレートを４等分した周期(１/２４０秒)で垂直同期信号(ＶＤ)が生成される。
【００７４】
ライブビューモードに設定された撮像装置１では、シャッターボタン３０７の半押し操作によるＡＦ開始に応答して、撮像素子１０１の撮像面１０１ｆ全域、つまり全てのＡＦエリアＥｆにおいて露光時間の異なる３回の露光(以下では「焦点検出用の露光」ともいう)Ｐａ〜Ｐｃが順次に行われる。そして、各ＡＦエリアＥｆの輝度平均値から、３回の露光Ｐａ〜Ｐｃのうち例えば適正な露光条件に最も近い露光から得られた画像信号を採用してＡＦ評価値を算出する。これにより、全てのＡＦエリアＥｆにおいて適切なコントラストＡＦが可能となる。
【００７５】
具体的には、まずシャッターボタン３０７が半押しされた直後（ＡＦ開始直後）の最初(１番目)のフレームＴｆ１において高輝度の被写体(例えばＢＶ値が８〜１５)を想定した比較的短い露光時間(例えば1/64000秒)の露光(１回目の露光)Ｐａが開始される。そして、この１回目の露光Ｐａにより撮像素子１０１で生成された電荷信号が読み出されてコントラストＡＦ演算回路７７でＡＦ評価値を算出する演算処理Ｍａが行われる。
【００７６】
次に、ＡＦ開始後の２番目のフレームＴｆ２において中輝度の被写体（例えばＢＶ値が２〜９）を想定した露光時間(例えば1/1000秒)の露光Ｐｂが開始される。そして、この２回目の露光Ｐｂにより撮像素子１０１で生成された電荷信号が読み出されてコントラストＡＦ演算回路７７でＡＦ評価値を算出する演算処理Ｍｂが行われる。
【００７７】
次に、ＡＦ開始後の３番目のフレームＴｆ３において低輝度の被写体(例えばＢＶ値が(−４)〜３)を想定した露光時間(例えば1/240秒)の露光Ｐｃが開始される。そして、この３回目の露光Ｐｃにより撮像素子１０１のＡＦ画素１１ｆで生成された電荷信号が読み出されてコントラストＡＦ演算回路７７でＡＦ評価値を算出する演算処理Ｍｃが行われる。
【００７８】
最後に、ＡＦ開始後の４番目のフレームＴｆ４においてライブビュー表示用の露光Ｐｖが開始される。そして、この４回目の露光Ｐｖにより撮像素子１０１で生成された電荷信号の読出し(例えば間引き読出し)が実行されてＬＣＤ３１１にライブビュー表示Ｄｖが行われる。なお、露光Ｐｖでは、上述の各露光Ｐａ〜Ｐｃのように予め定められた露光時間が設定される訳ではなく、ＡＥ制御によって得られた露光時間による露光が行われる。
【００７９】
なお、図７では各露光Ｐａ〜Ｐｃ、Ｐｖを平行四辺形で示しているが、これは撮像素子１０１の水平ラインが下がるほど露光タイミングを徐々に遅らせることを表している。このように水平ライン毎に露光タイミングをずらすことが可能なのは、リセットタイミングおよび読出しタイミングを画素（水平ライン）ごとに任意に設定できる撮像素子１０１(例えばＳＭＯＳセンサ)のためである。
【００８０】
以上のような３パターンの露光時間による露光Ｐａ〜Ｐｃを行えば、例えばＦｎｏが１.４の交換レンズ２において、図８のようにＩＳＯ感度１００および露光時間（シャッタースピード(ｓｓ)）１/６４０００秒に設定される露光ＰａによってＢＶ値８〜１５(平行斜線部)の被写体に対応できるとともに、ＩＳＯ感度１００および露光時間(ｓｓ)１/１０００秒に設定される露光ＰｂによってＢＶ値２〜９(平行斜線部)の被写体に対応できる。またＩＳＯ感度１６００および露光時間(ｓｓ)１/２４０秒に設定される露光ＰｃによってＢＶ値(−４)〜３(平行斜線部)の被写体に対応できることとなる。なお、各露光Ｐａ、Ｐｂ、Ｐｃにおいて適正な(最適な)露光条件となるのは、それぞれＢＶ値が１３、７、１(クロスハッチング部)の被写体に対してである。
【００８１】
このような３パターンの露光Ｐａ〜Ｐｃにより、図８のようにＢＶ値が(−４)〜１５の被写体に対しても適切な露光データ(焦点検出用のデータ)が得られるため、各ＡＦエリアＥｆにおいてコントラストＡＦを精度良く行えることとなる。これに関して、図９を参照しつつ具体的に説明する。
【００８２】
図９は、各露光Ｐａ〜Ｐｃにより得られるＡＦ評価値を説明するための図である。図９(ａ)〜図９(ｃ)においては、横軸がフォーカスレンズ２１１の位置を示しており、縦軸がコントラストＡＦ演算回路７７で算出されるＡＦ評価値を示している。そして、図９(ａ)〜図９(ｃ)には、それぞれ上述の各露光Ｐａ〜Ｐｃにより、ある１つのＡＦエリアＥｆで得られるＡＦ評価値の一例が表されている。
【００８３】
３パターンの露光Ｐａ〜Ｐｃのうちの適正な露光、例えば図９(ｂ)に示す露光時間１/１０００秒の露光Ｐｂにおいてフォーカスレンズ２１１を無限遠端(∞端)から至近端まで移動させた場合には、上に凸な形状でピーク値Ｐｋを有するＡＦ評価値のグラフＧｋが得られる。このようなＡＦ評価値のデータが得られると、ピーク値Ｐｋに対応する位置Ｆｐにフォーカスレンズ２１１を駆動させれば適切な合焦制御が可能である。
【００８４】
一方、３パターンの露光Ｐａ〜Ｐｃのうちの不適正な露光、例えば図９(ａ)および図９(ｃ)に示す露光時間１/６４０００秒の露光Ｐａおよび露光時間１/２４０秒の露光Ｐｃでは、ピーク値の判定が困難なＡＦ評価値のグラフＧａ、Ｇｃが得られるため、適切なコントラストＡＦを行えないこととなる。
【００８５】
以上のことから、３パターンの焦点検出用の露光Ｐａ〜Ｐｃをライブビューの表示フレーム周期で繰り返せば、複数のＡＦエリアＥｆ(図６)それぞれにおいて適切なＡＦ評価値のデータが得られる露光状態が必ず存在することとなるため、その露光状態で取得されたＡＦ評価値のデータを用いて各ＡＦエリアＥｆでの合焦位置の検出が可能となり、コントラストＡＦにおいて適切な多点ＡＦを行えることとなる。ここで、各ＡＦエリアＥｆで検出される合焦位置が異なる場合には、いわゆる「近優先」で合焦位置を１つに絞る、つまり撮像装置１から最も近い被写体に関しての合焦位置を最終的な合焦位置としてＡＦ制御を行うようにする。
【００８６】
なお、ＡＦ評価値のデータについては、図９(ａ)〜(ｃ)に示すように無限遠端から至近端までのフォーカスレンズ２１１の駆動(レンズ駆動範囲全域のスキャン)によって取得しても良いが、ＡＦ完了までの時間短縮を図るために次の動作によって取得するようにしても良い。
【００８７】
図１０は、ＡＦ評価値のデータ取得動作を説明するための図である。図１０においては、横軸がフォーカスレンズ２１１の位置を示しており、縦軸がコントラストＡＦ演算回路７７で算出されるＡＦ評価値を示している。
【００８８】
まず、無限遠端からフォーカスレンズ２１１を駆動しつつ各ＡＦエリアＥｆでのＡＦ評価値のデータを取得する。そして、複数のＡＦエリアＥｆにおいて最初に検出されたピーク値Ｐｓに対応するフォーカスレンズ２１１の位置Ｆｓから予め定められた距離Ｌｏだけ至近端側にフォーカスレンズ２１１を駆動する。この距離Ｌｏにおけるフォーカスレンズ２１１の駆動で得られた各ＡＦエリアＥｆでのＡＦ評価値のデータから至近端側に最も近いピーク値Ｐｔを求め、このピーク値Ｐｔに対応するフォーカスレンズ２１１の位置Ｆｔを最終的な合焦位置として採用する。このようなＡＦ評価値のデータ取得動作により、至近端までのフォーカスレンズ２１１の駆動Ｄｒが不要となり、迅速な合焦制御が可能となる。
【００８９】
次に、以上のようなコントラストＡＦ動作を行う撮像装置１の基本的な動作について説明する。
【００９０】
＜撮像装置１の基本的な動作＞
図１１および図１２は、撮像装置１の基本的な動作を示すフローチャートである。この動作は、撮像装置１の電源オンから本撮影が終了するまでの一連の動作を示しており、メイン制御部６２で実行される。
【００９１】
メインスイッチ３１７がユーザにより操作されて撮像装置１の電源がオンされると、切替スイッチ８５の設定状態に基づき電子ファインダ(ライブビューモード)が選択されているかが判定される（ステップＳＴ１）。ここで、電子ファインダが選択されている場合には、ステップＳＴ２に進み、電子ファインダでなく光学ファインダ３１６が選択されている場合には、ステップＳＴ１４に進む。
【００９２】
ステップＳＴ２では、ミラー駆動制御部７２Ａによりミラー駆動アクチュエータ７２Ｍを駆動して、ミラー部１０３における主ミラー１０３１およびサブミラー１０３２をアップさせる(図４参照)。
【００９３】
ステップＳＴ３では、シャッタ駆動制御部７３Ａによりシャッタ駆動アクチュエータ７３Ｍを駆動して、シャッタユニット４０の開動作を行う。
【００９４】
ステップＳＴ４では、撮像素子１０１をライブビューモードで起動する。これにより、撮像素子１０１の読出し周期が例えば１/６０秒に設定されてＬＣＤ３１１でのライブビュー表示が開始される。
【００９５】
ステップＳＴ５では、光学ファインダ３１６に切り替えられたかを判定する。具体的には、切替スイッチ８５がユーザにより操作されて光学ファインダ３１６が選択されたか否かを判断する。ここで、光学ファインダ３１６に切り替えられた場合には、ステップＳＴ１１に進み、切り替えられていない場合には、ステップＳＴ６に進む。
【００９６】
ステップＳＴ６では、シャッターボタン３０７がユーザによって半押しされたかを判定する。ここで、半押しされた場合には、ステップＳＴ７に進み、半押しされていない場合には、ステップＳＴ５に戻る。
【００９７】
ステップＳＴ７では、図７に示す露光Ｐａ〜Ｐｃのように露光時間の異なる３パターンの露光をライブビューの表示フレーム期間内に行って３種類のＡＦ評価値のデータ（図９(ａ)〜(ｃ)）を各ＡＦエリアＥｆで取得するとともに、そのうちの適切なＡＦ評価値のデータに基づくコントラストＡＦを実施する。そして、例えば撮像装置１に最も近い被写体に対する合焦位置を特定し、その位置へのフォーカスレンズ２１１の駆動を行う。
【００９８】
すなわち、ステップＳＴ７において、ライブビュー表示用の露光周期(例えば１/６０秒）の間に露出値が異なる３回の露光Ｐａ〜Ｐｃを撮像素子１０１で順次に行い、これら３回の露光それぞれによって撮像素子１０１で生成される各画像信号に基づき各ＡＦエリアＥｆでコントラストＡＦを行うことにより、コントラストＡＦにおいて精度の良い多点ＡＦが可能となる。
【００９９】
ステップＳＴ８では、シャッターボタン３０７がユーザによって全押しされたかを判定する。ここで、全押しされた場合には、ステップＳＴ９に進み、全押しされていない場合には、ステップＳＴ５に戻る。
【０１００】
ステップＳＴ９では、本撮影を行う。すなわち、撮像素子１０１で記録用の撮影画像データを生成する撮影動作が行われる。
【０１０１】
ステップＳＴ１０では、ステップＳＴ９の本撮影により撮像素子１０１で生成された撮影画像データの読出しを行う。読み出された撮影画像データは、ＡＦＥ５および画像処理部６１での処理を経てメモリカード６７に記録することが可能である。
【０１０２】
ステップＳＴ１１では、ミラー駆動制御部７２Ａによりミラー駆動アクチュエータ７２Ｍを駆動して、ミラー部１０３における主ミラー１０３１およびサブミラー１０３２をダウンさせる(図３参照)。
【０１０３】
ステップＳＴ１２では、シャッタ駆動制御部７３Ａによりシャッタ駆動アクチュエータ７３Ｍを駆動して、シャッタユニット４０の閉動作を行う。
【０１０４】
ステップＳＴ１３では、光学ファインダが選択されているため、電子ファインダに必要な撮像素子１０１およびＬＣＤ３１１をオフにする。
【０１０５】
ステップＳＴ１４では、電子ファインダに切り替えられたかを判定する。具体的には、切替スイッチ８５がユーザにより操作されて電子ファインダが選択されたか否かを判断する。ここで、電子ファインダに切り替えられた場合には、ステップＳＴ２に戻り、切り替えられていない場合には、ステップＳＴ１５に進む。
【０１０６】
ステップＳＴ１５では、シャッターボタン３０７がユーザによって半押しされたかを判定する。ここで、半押しされた場合には、ステップＳＴ１６に進み、半押しされていない場合には、ステップＳＴ１４に戻る。
【０１０７】
ステップＳＴ１６では、位相差ＡＦモジュール１０７による位相差ＡＦを行う。ここでは、上述した多点ＡＦにより高精度な位相差ＡＦが可能である。
【０１０８】
ステップＳＴ１７では、シャッターボタン３０７がユーザによって全押しされたかを判定する。ここで、全押しされた場合には、ステップＳＴ１８に進み、全押しされていない場合には、ステップＳＴ１４に戻る。
【０１０９】
ステップＳＴ１８では、ミラー駆動制御部７２Ａによりミラー駆動アクチュエータ７２Ｍを駆動して、ミラー部１０３における主ミラー１０３１およびサブミラー１０３２をアップさせる(図４参照)。
【０１１０】
ステップＳＴ１９では、本撮影を行う。すなわち、撮像素子１０１で記録用の撮影画像データを生成する撮影動作が行われる。
【０１１１】
ステップＳＴ２０では、ステップＳＴ１９の本撮影により撮像素子１０１で生成された撮影画像データの読出しを行うとともに、ミラー駆動制御部７２Ａによりミラー駆動アクチュエータ７２Ｍを駆動してミラー部１０３における主ミラー１０３１およびサブミラー１０３２をダウンさせる。
【０１１２】
以上の撮像装置１の動作により、ライブビューの表示フレーム期間内に露出値が異なる３パターンの焦点検出用の露光Ｐａ〜Ｐｃを行うため、コントラストＡＦにおいて多点ＡＦを精度良く行える。
【０１１３】
＜変形例＞
・上記の実施形態においては、露光時間を変化させて露出値の異なる露光Ｐａ〜Ｐｃ(図７)を実現するのは必須でなく、ＩＳＯ感度だけを変化させて露出値が異なる露光を実現するようにしても良い。すなわち、複数回の露光においてはＩＳＯ感度および／または露光時間を変更することにより露出値を変化させることが可能である。これにより、露出値の異なる露光を実現できる。
【０１１４】
・上記の実施形態においては、ライブビュー表示用の露光を焦点検出用の露光と区別するのは必須でなく、ライブビュー表示用の露光を焦点検出用の露光として利用するようにしても良い。例えば、露光時間が異なる３回の露光Ｐａ〜Ｐｃ(図７)のうち露光状態が比較的良好な露光により撮像素子で得られる画像信号を用いてＬＣＤ３１１にライブビュー表示を行っても良い。これにより、ライブビュー表示用の露光を省略でき、焦点検出用の露光の周期を長くすることが可能となる。すなわち、複数回の焦点検出用の露光にライブビュー表示用の露光制御による露光を含ませることにより、焦点検出用の露光において比較的長い露光時間を設定できる。
【０１１５】
・上記の実施形態においては、ライブビューの表示フレーム周期の間に３回の焦点検出用の露光を行うのは必須でなく、２回または、４回以上の焦点検出用の露光を行っても良い。
【０１１６】
・上記の実施形態においては、画素毎にリセットタイミングや読出しタイミングを任意に設定できる撮像素子(例えばＣＭＯＳ型の撮像素子)を使用するのは必須でなく、画素毎にリセットタイミングや読出しタイミングを任意に設定できない撮像素子(例えばＣＣＤ型の撮像素子)を使用しても良い。
【図面の簡単な説明】
【０１１７】
【図１】本発明の実施形態に係る撮像装置１の外観構成を示す図である。
【図２】撮像装置１の外観構成を示す図である。
【図３】撮像装置１の縦断面図である。
【図４】ミラー部１０３におけるミラーアップの状態を示す図である。
【図５】撮像装置１の電気的な構成を示すブロック図である。
【図６】撮像装置１においてコントラストＡＦが可能な複数のＡＦエリアＥｆを説明するための図である。
【図７】露光時間の異なる３パターンの露光Ｐａ〜Ｐｃを説明するためのタイムチャートである。
【図８】３パターンの露光Ｐａ〜Ｐｃを説明するための図である。
【図９】各露光Ｐａ〜Ｐｃにより得られるＡＦ評価値を説明するための図である。
【図１０】ＡＦ評価値のデータ取得動作を説明するための図である。
【図１１】撮像装置１の基本的な動作を示すフローチャートである。
【図１２】撮像装置１の基本的な動作を示すフローチャートである。
【符号の説明】
【０１１８】
１  撮像装置
２  交換レンズ
１０  カメラボディ
６２  メイン制御部
７７  コントラストＡＦ演算回路
８５  切替スイッチ
１０１  撮像素子
１０１ｆ  撮像面
１０３  ミラー部
１０７  位相差ＡＦモジュール
２１１  フォーカスレンズ
３０７  シャッターボタン
３１１  ＬＣＤ
３１６  光学ファインダ
６２２  焦点検出部
Ｅｆ  ＡＦエリア
Ｐａ〜Ｐｃ  焦点検出用の露光
Ｐｖ  ライブビュー表示用の露光
【図１】
2009139840.tif 000003
【図２】
2009139840.tif 000004
【図３】
2009139840.tif 000005
【図４】
2009139840.tif 000006
【図５】
2009139840.tif 000007
【図６】
2009139840.tif 000008
【図７】
2009139840.tif 000009
【図８】
2009139840.tif 000010
【図９】
2009139840.tif 000011
【図１０】
2009139840.tif 000012
【図１１】
2009139840.tif 000013
【図１２】
2009139840.tif 000014